(57)【要約】【課題】撮影用光源の劣化等による発光抜けを検出した場合に発光の再制御を行う。【解決手段】Ｓ１で撮影を開始し、Ｓ２でシステム制御部は撮影命令信号を出力する。Ｓ３でシャッタが開いたか否かを判断し、開いたことを検知するまでＳ３を繰り返し、Ｓ４において撮影用光源の発光開始命令が出力する。Ｓ５で発光検知が行われ、発光したか否かを判断し、発光した場合にはＳ６に進む。このＳ６ではリトライカウントを参照するが、Ｓ１で０にリセットされたままなのでＳ７に進み撮影が正常終了する。発光がなかった場合にはＳ８に進み、リトライカウントを１つ加算しＳ９が実行され、シャッタが開いているか否かを判断し、閉じていると判断されるとＳ１０に進み撮影異常終了となる。シャッタが開いている場合にはＳ４、Ｓ５を繰り返し、発光したことを検知した場合にはＳ６に進み、Ｓ１１で撮影正常終了と共に不発光が発生したことを警告する。【選択図】  図４
2006271814.tif 000002
【特許請求の範囲】
【請求項１】
被検眼を照明する撮影用光源を含む照明光学系と、被検眼を撮像する撮像光学系と、前記撮影用光源の発光を行う発光駆動手段と、前記撮影用光源が発光したか否かを判断する撮影光発光判断手段を有する眼科撮影装置において、前記撮影用光源が発光しなかったと判断した場合には、前記撮影用光源の再発光を行うように制御することを特徴とする眼科撮影装置。
【請求項２】
前記撮像光学系には撮像開始と撮像終了との同期信号を出力する撮像部を有し、該撮像部からの撮像開始信号から撮像終了までの期間において、前記撮影用光源の前記再発光を行うことを特徴とする請求項１に記載の眼科撮影装置。
【請求項３】
前記撮影光発光判断手段は、発光用の電荷を蓄電したコンデンサの充電電圧を検出することを特徴とする請求項１に記載の眼科撮影装置。
【請求項４】
前記撮影用光源が発光しなかったと判断した場合に、不発光回数を記録する不発光回数記録手段を有することを特徴とする請求項２に記載の眼科撮影装置。
【請求項５】
前記撮像部に撮像開始と撮像終了との前記同期信号の間隔を設定するシャッタ速度設定手段を有し、前記不発光回数記録手段に記録された記録回数に応じて、前記シャッタ速度設定手段の設定を変更することを特徴とする請求項４に記載の眼科撮影装置。
【請求項６】
前記撮像部はデジタルカメラを使用する請求項２に記載の眼科撮影装置。
【発明の詳細な説明】
【技術分野】
【０００１】
本発明は、例えば眼科医院や集団健診等で用いられる被検眼眼底を撮影する眼底カメラ等の眼科撮影装置に関するものである。
【背景技術】
【０００２】
例えば、眼科撮影装置として眼底カメラが知られており、近年ではデジタルカメラの普及により、眼底カメラの撮影用カメラにもデジタルカメラが多く使用されるようになってきている。これはデジタルカメラによる眼底撮影は、３５ｍｍフィルムやインスタントカメラを用いて撮影した場合と比較しても、十分な診断が可能となっているためである。特に、デジタルカメラが有しているデジタル特有の即時性や経済性に加えて、センサの高解像化等によるデジタル技術の進歩によって、３５ｍｍフィルムやインスタントカメラと同等レベルの画質が得られるようになってきている。
【０００３】
眼底カメラはアライメント操作を行うと同時に、ハロゲンランプ等の連続点灯可能な光源を用いて撮影部位の選定、病巣の判定、被検眼の観察等を行う機能と、撮影部位を決定しその被検眼像をストロボ光源等の閃光光源を用いて撮影する機能を有している。
【０００４】
この閃光光源においては、特許文献１に示すように閃光放電管の両端に主コンデンサの充電電圧以上の高電圧を印加し、高速繰り返し発光動作時の発光抜け防止を実現する絶縁ゲート型バイポーラトランジスタを用いた技術が既に提案されている。
【０００５】
【特許文献１】特開平５−３４７１９４号公報
【発明の開示】
【発明が解決しようとする課題】
【０００６】
近年においては、デジタルカメラは即時性を有し、撮影に失敗しても撮り直しが容易であるため、撮影の失敗が許容され難い３５ｍｍフィルムやインスタントカメラ使用時と比較すると、撮影用光源の使用頻度が増加する傾向にある。このように撮影用光源の使用頻度が増加すると、撮影用光源自体の寿命が短くなり、ランプの交換等のメンテナンスが必要となってしまう問題点がある。また、検査途中での撮影用光源の交換等は困難であると共に、検査に支障をきたす虞れがある。
【０００７】
図６は従来技術によるストロボ発光制御の様子のタイミングチャート図を示し、区間ＴＷで示された時間がカメラのシャッタの開いている状態である。つまり、この区間ＴＷ内にストロボ光源を発光し、撮像素子に眼底画像を結像させることにより、高解像度の静止画像を得ることができる。
【０００８】
時間Ｔ１においては、電圧Ｖ１に充電された発光回路内部のストロボ光源の発光用に用いるメインコンデンサの電荷が、発光開始命令によって波形Ｗ１に示すように瞬時に放電され、光エネルギに変換されて発光する。また、波形Ｗ２は発光開始命令によってトリガ回路のトリガコンデンサの電荷が放電される様子を示している。電圧Ｖ２は発光後のメインコンデンサの残留電荷による電圧を示している。
【０００９】
この従来例においては、ストロボ光源が劣化等により発光しなかった場合には撮影が失敗してしまい、再撮影を行うことが必要となる。
【００１０】
本発明の目的は、上述の問題点を解消し、即時性や撮り直しが容易といったデジタルカメラの使い勝手を損うことなく、撮影用光源の使用頻度が増加しても、撮影用光源自体の交換頻度の軽減が可能な眼科撮影装置を提供することにある。
【課題を解決するための手段】
【００１１】
上記目的を達成するための本発明に係る眼科撮影装置の技術的特徴は、被検眼を照明する撮影用光源を含む照明光学系と、被検眼を撮像する撮像光学系と、前記撮影用光源の発光を行う発光駆動手段と、前記撮影用光源が発光したか否かを判断する撮影光発光判断手段を有する眼科撮影装置において、前記撮影用光源が発光しなかったと判断した場合には、前記撮影用光源の再発光を行うように制御することにある。
【発明の効果】
【００１２】
本発明に係る眼科撮影装置によれば、撮影用光源の劣化等による発光抜けを検出した場合に発光の再制御を行うことにより、確実な発光を可能とし、即時性や撮り直しが容易といったデジタルカメラの使い勝手を損うことなく、撮影用光源の使用頻度が増加しても、撮影用光源自体の交換頻度の軽減を可能とする。
【００１３】
また、撮影用光源の不発光回数を記録し、不発光の発生頻度が増加してきた場合には、シャッタ速度を長くし、発光の再制御回数を増加することができるため、仮にストロボ光源の劣化等による発光抜けが発生しても、交換頻度の大幅な軽減が可能となる。
【発明を実施するための最良の形態】
【００１４】
本発明を図１〜図５に図示の実施例に基づいて詳細に説明する。
【実施例１】
【００１５】
図１は実施例１における眼底カメラの構成図を示し、被検眼Ｅの前方には対物レンズ１、孔あきミラー２、合焦レンズ３、撮影レンズ４、跳ね上げミラー５、撮像素子６を有するカメラボディ７が順次に配列され、撮像光学系が構成されている。眼底カメラに着脱可能なデジタルカメラのカメラボディ７は複数種類あり、形状が同一で光学的な焦点距離の同一のマウントのものは全て取り付け可能とされている。
【００１６】
また、孔あきミラー２の反射方向には、リレーレンズ８、リング状の開口を有する絞り９、ミラー１０、ストロボ光源等の撮影用光源１１、コンデンサレンズ１２、観察用光源１３が順次に配列され、被検眼Ｅの瞳Ｅｐを介して眼底Ｅｒを照明する眼底照明光学系が構成されている。跳ね上げミラー５の反射方向には、ミラー１４、接眼レンズ１５が順次に配列され、観察眼Ｅ’による観察用光学系が構成されている。
【００１７】
撮像素子６、撮影用光源１１の発光を検知する発光検知部１６、入力部１７の出力はシステム制御部１８に接続され、またシステム制御部１８の出力は撮影用光源１１、観察用光源１３に接続され、更にシステム制御部１８はカメラボディ７内のカメラ制御部１９と信号の送受信を行うように接続されている。
【００１８】
システム制御部１８は入力部１７からの入力に従って、撮影用光源１１及び観察用光源１３の発光制御を行い、撮影時にはカメラ制御部１９と同期処理を行い、発光検知部１６により撮影用光源１１が発光したか否かを検知することができ、跳ね上げミラー５の跳ね上げ制御等のシステム全体の制御を行っている。
【００１９】
図２はシステム制御部１８周辺のブロック回路構成図を示し、システム制御部１８内には、撮影用光源１１の制御を行う撮影光源制御部２１及び発光回路２２が内蔵され、この発光回路２２は撮影光源制御部２１によって制御されるように接続されている。また、撮影光源制御部２１には、カメラボディ７のシャッタ状態を検出するためにカメラ制御部１９、撮影用光源１１が発光したか否かを検出する発光検知部１６が接続されている。発光回路２２は撮影用光源１１を発光するためのものであり、発光用に用いるメインコンデンサ２２ａ、撮影用光源１１の発光を促すためのトリガコンデンサ２２ｂ、トリガトランス２２ｃ等を有するトリガ回路２２ｄにより構成されている。
【００２０】
図３は本実施例１を用いた撮影用光源１１によるストロボ発光制御の様子のタイミングチャート図を示し、区間ＴＷ、時間Ｔ１、電圧Ｖ１、電圧Ｖ２は図６の従来例と同様である。先ず、時間Ｔ１において図６と同様に、電圧Ｖ１に充電されたメインコンデンサ２２ａの電荷が放電され、時間Ｔ２において発光回路２２内のメインコンデンサ２２ａの電圧は電圧Ｖ２’となり、波形Ｗ１’は時間Ｔ１における発光開始命令によって、撮影用光源１１の発光が行われた場合を示している。このとき、波形Ｗ２’に示すように、時間Ｔ１にける発光開始命令によってトリガ回路２２ｄのトリガコンデンサ２２ｂの電荷が放電される。
【００２１】
劣化等により撮影用光源１１が時間Ｔ１において発光が行われなかった場合には、放電がされないためにメインコンデンサ２２ａの電圧は、時間Ｔ１と時間Ｔ２間を点線で示すように電圧Ｖ１に保持されている。
【００２２】
ここで、時間Ｔ２と時間Ｔ３に時間差があるが、これは波形Ｗ２”に示すように、時間Ｔ１の発光開始命令により、撮影用光源１１の発光を促すためのトリガ回路２２ｄが駆動されたため、トリガ機能のリセット動作としてトリガコンデンサ２２ｂへの充電時間が必要となるためである。このように、時間Ｔ２では時間Ｔ１の発光開始命令を解除することで、トリガコンデンサ２２ｂに充電を行う。
【００２３】
トリガコンデンサ２２ｂに充電を行う時間は、メインコンデンサ２２ａを充電するために必要な時間に比べて極めて短い時間であるため、区間ＴＷで示されたシャッタの開いている時間内にリセット動作を行うことが可能である。次に、時間Ｔ３において再びトリガ機能が確実にリセットされた後に、再度の発光開始命令によって、撮影用光源１１の発光が行われた場合は、時間Ｔ３に電圧Ｖ１から放電する波形Ｗ１”となると共に、トリガコンデンサ２２ｂも放電され波形Ｗ２'''となる。
【００２４】
眼底撮影時において、検者は被検者を顎受け等の固定台に顔を固定した後に、図１に示す光学系を乗せたステージ部を操作し、被検眼Ｅの眼底Ｅｒへのアライメントを行う。そして、入力部１７に設けられた観察光量つまみを操作し、システム制御部１８は観察用光源１３の調光を行い撮影の準備を整える。
【００２５】
図４は撮影のフローチャート図を示し、撮影準備が整うとステップＳ１において、撮像素子６において静止画を撮影するため、入力部１７に設けられた撮影スイッチを操作して撮影を開始する。このとき、跳ね上げミラー５を光路から離脱させ、リトライカウントを０にリセットする。
【００２６】
次に、ステップＳ２において、システム制御部１８はカメラ制御部１９に対して撮影命令信号を出力する。ステップＳ３において、システム制御部１８はカメラ制御部１９から出力されるカメラボディ７のシャッタ同期信号の状態を判断する。このシャッタ同期信号によりシャッタが開いたことを検知するまで、ステップＳ３の検知を繰り返す。制限時間内にシャッタ同期信号が得られない、つまりカメラボディ７の不良や故障等によりシャッタが開いたことを検知できない場合にはエラー処理を行う。
【００２７】
ステップＳ３においてシャッタが開いたことが検知されると、ステップＳ４に進み、時間Ｔ１のタイミングにおいて撮影用光源１１の発光開始命令が出力される。続いてステップＳ５において、発光検知部１６により撮影用光源１１の発光検知が行われ、システム制御部１８は図３に示す時間Ｔ２のタイミングで発光検知部１６からの出力を用いて撮影用光源１１が発光したか否かを判断する。撮影用光源１１が発光したことを検知した場合には、ステップＳ６に進みリトライカウントを参照するが、リトライカウントはステップＳ１で０にリセットされたままなので、ステップＳ７に進み撮影が正常に終了することになる。
【００２８】
ステップＳ５において、撮影用光源１１が発光しなかったことを検知した場合には、ステップＳ８に進みステップＳ１で０にリセットされたリトライカウントを１つ加算する。また、図３に示した時間Ｔ２から時間Ｔ３の間、トリガ回路２２ｄをリセットし、トリガ機能が再び機能するようにトリガコンデンサ２２ｂに電荷を蓄積する。
【００２９】
ステップＳ８が終了するとステップＳ９に進み、ステップＳ３と同様に、シャッタ同期信号からシャッタが開いているか否かを判断する。ここで、図３に記載の区間ＴＷが経過し、シャッタが閉じていると判断されると、ステップＳ１０に進み撮影異常終了となる。検者にこの撮影異常終了を伝える手段としては、ブザー音を出力したり、撮影光量等を表示する表示手段に対して点滅表示やエラー表示させる等を行うことが考えられる。
【００３０】
ステップＳ９において、区間ＴＷの間にシャッタが開いている場合には、再びステップＳ３に戻り時間Ｔ３でステップＳ４、Ｓ５が実行される。ここで、ステップＳ５において撮影用光源１１が発光したことを検知した場合には、ステップＳ６に進む。この場合には、リトライカウントは０ではないため、ステップＳ１１に進み撮影正常終了と共に、不発光が発生したことを警告する。このときの警告は、ステップＳ１０での撮影異常終了において行う表示方法と異なることは勿論である。
【００３１】
また、ステップＳ５における撮影光源１１の発光の判断方法について本実施例１では、図３に示したように発光回路２２内のメインコンデンサ２２ａの電圧が、電圧Ｖ１と電圧Ｖ２の中間以下の電圧Ｖ２’となっていることをもって検出したが、その他の判断方法としては、発光検知部１６に受光センサを設けて検出する方法や、撮影用光源１１の発光によってメインコンデンサ２２ａから流れ出た電流を検出する方法等も考えられる。
【００３２】
本実施例１においては、カメラボディ７内のシャッタ同期信号の長さについて説明を行っていないが、これは通常のカメラにおけるシャッタ速度の設定によるものである。
【実施例２】
【００３３】
図５は実施例２におけるシステム制御部１８周辺のブロック回路構成図を示し、図２と同一の符号は同一の部材を示している。本実施例２においては、発光検知部１６及びカメラ制御部１９に不発光回数記録部３１が接続され、発光検知部１６により不発光が検出された場合の不発光回数が記録されるようになっている。
【００３４】
カメラ制御部１９は不発光回数記録部３１から不発光回数を読込み、例えば不発光回数が１０回を超えた場合には、シャッタ速度の設定を例えば２倍にするような制御を行う。これにより、不発光が頻発してきた場合には、シャッタの開いている時間である区間ＴＷを長くすることにより、図４に示すフローチャート図におけるステップＳ３、Ｓ４の処理を繰り返して実行できる。従って、撮影用光源１１の発光開始命令を繰り返し出力できる回数を増加し、撮影用光源１１が劣化し不発光の発生頻度が多くなっても発光抜けを防止することができる。
【００３５】
また、本実施例２においては不発光の回数を１０回、これを超過した時にシャッタ速度の設定を２倍にするとして説明したが、これらの値はここで説明した以外の値としてもよい。しかし、本実施例で説明した眼底カメラにおいては、通常では撮影開始から０．２〜０．３秒程度で撮影処理が終了するようになっているため、シャッタ速度の設定はこの撮影処理時間よりも短い時間に設定することが望ましい。
【００３６】
以上、本発明の好ましい実施例について説明したが、本発明はこれらの実施例に限定されないことは云うまでもなく、その要旨の範囲内で種々の変形及び変更が可能である。
【図面の簡単な説明】
【００３７】
【図１】実施例１の眼底カメラの構成図である。
【図２】実施例１のシステム制御部周辺のブロック回路構成図である。
【図３】実施例１の撮影光発光制御のタイミングチャート図である。
【図４】実施例１の撮影の動作フローチャート図である。
【図５】実施例２のシステム制御部周辺のブロック回路構成図である。
【図６】従来の撮影光発光制御のタイミングチャート図である。
【符号の説明】
【００３８】
６  撮像素子
７  カメラボディ
１１  撮影用光源
１６  発光検知部
１８  システム制御部
１９  カメラ制御部
２１  撮影光源制御部
２２  発光回路
２２ａ  メインコンデンサ
２２ｂ  トリガコンデンサ
２２ｄ  トリガ回路
３１  不発光回数記録部
【図１】
2006271814.tif 000003
【図２】
2006271814.tif 000004
【図３】
2006271814.tif 000005
【図４】
2006271814.tif 000006
【図５】
2006271814.tif 000007
【図６】
2006271814.tif 000008